(57)【要約】      （修正有）【課題】手軽に光の投影を楽しむことができる光拡散装飾装置を提供する。【解決手段】光拡散装飾装置１は、光を分散させる光拡散部材２と、この光拡散部材２を保持する保持部材３と、光拡散部材２に光を照射するＬＥＤライト４とを備える。より具体的には、保持部材３は、光拡散部材２を吊り下げるスタンド５とされ、このスタンド５には、ライト保持部１１が設けられており、このライト保持部１１に、ＬＥＤライト４が設けられる。ＬＥＤライト４による照射は、光拡散部材２にスポットを当てて行うのが好ましい。【選択図】図１
0003231785.tif 000002
【実用新案登録請求の範囲】
【請求項１】
光を分散させる光拡散部材と、
この光拡散部材を保持する保持部材と、
前記光拡散部材に光を照射するＬＥＤライトと
を備えることを特徴とする光拡散装飾装置。
【請求項２】
前記保持部材は、前記光拡散部材を吊り下げるスタンドとされ、
このスタンドには、ライト保持部が設けられており、
このライト保持部に、前記ＬＥＤライトが設けられる
ことを特徴とする請求項１に記載の光拡散装飾装置。
【請求項３】
前記保持部材は、前記光拡散部材を吊り下げるスタンドとされ、
このスタンドとは別体として、ライト保持部を有するライト保持材を備えており、
このライト保持材のライト保持部に、前記ＬＥＤライトが設けられる
ことを特徴とする請求項１に記載の光拡散装飾装置。
【請求項４】
前記ＬＥＤライトは、前記ライト保持部に着脱可能に設けられる
ことを特徴とする請求項２または請求項３に記載の光拡散装飾装置。
【請求項５】
前記ＬＥＤライトは、前記光拡散部材に対する配置を変更可能に設けられる
ことを特徴とする請求項１〜４のいずれか１項に記載の光拡散装飾装置。
【請求項６】
前記ＬＥＤライトは、前記光拡散部材に側方または斜め側方から光を照射する
ことを特徴とする請求項１〜５のいずれか１項に記載の光拡散装飾装置。
【請求項７】
前記ＬＥＤライトは、前記光拡散部材に上方もしくは斜め上方から光を照射するか、または前記光拡散部材に下方もしくは斜め下方から光を照射する
ことを特徴とする請求項１〜５のいずれか１項に記載の光拡散装飾装置。
【請求項８】
前記ＬＥＤライトからのビーム光の径は、それが当てられる光拡散部材の位置において、所定の大きさとされ、
この所定の大きさは、前記光拡散部材の断面のうち、ビーム光の進行方向と垂直な断面が最大となる箇所の寸法の５０〜１１０％の大きさとされる
ことを特徴とする請求項１〜７のいずれか１項に記載の光拡散装飾装置。
【請求項９】
前記光拡散部材は、透明な多面体により形成される
ことを特徴とする請求項１〜８のいずれか１項に記載の光拡散装飾装置。
【請求項１０】
前記ＬＥＤライトは、ズーム機能付きのＬＥＤライトである
ことを特徴とする請求項１〜９のいずれか１項に記載の光拡散装飾装置。
【請求項１１】
複数の光拡散部材を備え、
その内の特定の光拡散部材へ向けて、前記ＬＥＤライトから光が照射される
ことを特徴とする請求項１〜１０のいずれか１項に記載の光拡散装飾装置。
【請求項１２】
前記特定の光拡散部材は、前記複数の光拡散部材の内、大きさが最大の光拡散部材とされるか、中央部に配置された光拡散部材とされる
ことを特徴とする請求項１１に記載の光拡散装飾装置。
【請求項１３】
影絵構成部材を備えて構成され、
前記影絵構成部材は、前記ＬＥＤライトからの光を照射されることで、図形、模様、文字、記号等の内のいずれか一以上の影を投影面に映し出す部材である
ことを特徴とする請求項１〜１２のいずれか１項に記載の光拡散装飾装置。
【請求項１４】
前記ＬＥＤライトからの光の照射を、前記光拡散部材にスポットを当てて行うか、前記光拡散部材だけでなく前記影絵構成部材を含む領域にも広げて行うか、を切替可能とされた
ことを特徴とする請求項１３に記載の光拡散装飾装置。
【請求項１５】
前記影絵構成部材は、線材を屈曲形成して構成される
ことを特徴とする請求項１３または請求項１４に記載の光拡散装飾装置。
【考案の詳細な説明】
【技術分野】
【０００１】
本考案は、カットされたガラスなどに光を当てて分散させ、壁などへの光の投影を鑑賞する光拡散装飾装置に関するものである。
【背景技術】
【０００２】
従来、サンキャッチャーと呼ばれるインテリアが知られている。サンキャッチャーとは、カットされたガラスなどから構成され、窓際に吊り下げておくことで、太陽光を当ててその光を多様に分散させ、室内への投影を楽しむ物品である。サンキャッチャーを応用したものとして、下記特許文献１に開示されるものも提案されている。
【０００３】
しかしながら、従来のものは、いずれも太陽光を当てて使用するものであった。そのため、日照、より具体的には、設置場所、天気および時刻などに左右され、いつでも快適な投影を楽しむことができない。
【先行技術文献】
【特許文献】
【０００４】
【特許文献１】登録実用新案第３１９２０２７号公報
【考案の概要】
【考案が解決しようとする課題】
【０００５】
本考案が解決しようとする課題は、手軽に光の投影を楽しむことができる光拡散装飾装置を提供することにある。
【課題を解決するための手段】
【０００６】
本考案は、前記課題を解決するためになされたもので、請求項１に記載の考案は、光を分散させる光拡散部材と、この光拡散部材を保持する保持部材と、前記光拡散部材に光を照射するＬＥＤライトとを備えることを特徴とする光拡散装飾装置である。
【０００７】
請求項１に記載の考案によれば、光拡散部材は、保持部材に保持されると共に、ＬＥＤライトから光を照射可能とされる。そして、光拡散部材は、ＬＥＤライトから光を照射されると、その光を分散させる。光拡散部材からの多様な光は、たとえば室内の壁などに投影されることになる。このようにして、太陽光がなくても、手軽に光の投影を楽しむことができる。
【０００８】
請求項２に記載の考案は、前記保持部材は、前記光拡散部材を吊り下げるスタンドとされ、このスタンドには、ライト保持部が設けられており、このライト保持部に、前記ＬＥＤライトが設けられることを特徴とする請求項１に記載の光拡散装飾装置である。
【０００９】
請求項２に記載の考案によれば、光拡散部材は、スタンドに吊り下げられるので、光の分散を効果的に図ることができる。また、光拡散部材を保持するスタンドにはライト保持部が設けられ、そのライト保持部にＬＥＤライトが設けられるので、光拡散部材、スタンドおよびＬＥＤライトを一体的に取り扱うことができる。
【００１０】
請求項３に記載の考案は、前記保持部材は、前記光拡散部材を吊り下げるスタンドとされ、このスタンドとは別体として、ライト保持部を有するライト保持材を備えており、このライト保持材のライト保持部に、前記ＬＥＤライトが設けられることを特徴とする請求項１に記載の光拡散装飾装置である。
【００１１】
請求項３に記載の考案によれば、光拡散部材は、スタンドに吊り下げられるので、光の分散を効果的に図ることができる。また、光拡散部材を保持するスタンドと、ＬＥＤライトを保持するライト保持材とが、別体として構成されるので、設置の自由度や利便性を高めることができる。特に、光拡散部材に対するＬＥＤライトの設置位置（ひいては光の当て方）を自在に変更することができる。
【００１２】
請求項４に記載の考案は、前記ＬＥＤライトは、前記ライト保持部に着脱可能に設けられることを特徴とする請求項２または請求項３に記載の光拡散装飾装置である。
【００１３】
請求項４に記載の考案によれば、ＬＥＤライトがライト保持部に着脱可能とされるので、所望により、光拡散装飾装置からＬＥＤライトを取り外すことができる。そして、自由な位置から自由な方向で、ＬＥＤライトからの光を光拡散部材に照射して、所望の投影を楽しむことができる。また、停電などの必要時には、ＬＥＤライトを懐中電灯として利用することもできる。
【００１４】
請求項５に記載の考案は、前記ＬＥＤライトは、前記光拡散部材に対する配置を変更可能に設けられることを特徴とする請求項１〜４のいずれか１項に記載の光拡散装飾装置である。
【００１５】
請求項５に記載の考案によれば、異なった位置から光拡散部材に光を照射して、所望の投影を楽しむことができる。
【００１６】
請求項６に記載の考案は、前記ＬＥＤライトは、前記光拡散部材に側方または斜め側方から光を照射することを特徴とする請求項１〜５のいずれか１項に記載の光拡散装飾装置である。
【００１７】
請求項６に記載の考案によれば、光拡散部材に側方または斜め側方から光を照射することで、壁などへの投影が容易となる。
【００１８】
請求項７に記載の考案は、前記ＬＥＤライトは、前記光拡散部材に上方もしくは斜め上方から光を照射するか、または前記光拡散部材に下方もしくは斜め下方から光を照射することを特徴とする請求項１〜５のいずれか１項に記載の光拡散装飾装置である。
【００１９】
請求項７に記載の考案によれば、光拡散部材に上方もしくは斜め上方から光を照射することで、床やテーブル面などへの投影が容易となる。また、光拡散部材に下方もしくは斜め下方から光を照射することで、天井などへの投影が容易となる。
【００２０】
請求項８に記載の考案は、前記ＬＥＤライトからのビーム光の径は、それが当てられる光拡散部材の位置において、所定の大きさとされ、この所定の大きさは、前記光拡散部材の断面のうち、ビーム光の進行方向と垂直な断面が最大となる箇所の寸法の５０〜１１０％の大きさとされることを特徴とする請求項１〜７のいずれか１項に記載の光拡散装飾装置である。
【００２１】
請求項８に記載の考案によれば、ＬＥＤライトからのビーム光の径を、光拡散部材の位置において所定の大きさとすることで、ＬＥＤライトからの光の大部分を光拡散部材で分散させることができる。そのため、ＬＥＤライトからの光がそのまま壁などを大きく照らしてしまったり、壁などに光拡散部材の影が明瞭に生じたりするのを防止することができる。
【００２２】
請求項９に記載の考案は、前記光拡散部材は、透明な多面体により形成されることを特徴とする請求項１〜８のいずれか１項に記載の光拡散装飾装置である。
【００２３】
請求項９に記載の考案によれば、光拡散部材を透明な多面体により形成することで、簡易な構成で、光を効果的に分散させることができる。
【００２４】
請求項１０に記載の考案は、前記ＬＥＤライトは、ズーム機能付きのＬＥＤライトであることを特徴とする請求項１〜９のいずれか１項に記載の光拡散装飾装置である。
【００２５】
請求項１０に記載の考案によれば、ＬＥＤライトはズーム機能を有するので、光拡散部材に照射する光の大きさ（径）を所望に変更することができる。これにより、状況に応じた所望の投影を楽しむことができる。
【００２６】
請求項１１に記載の考案は、複数の光拡散部材を備え、その内の特定の光拡散部材へ向けて、前記ＬＥＤライトから光が照射されることを特徴とする請求項１〜１０のいずれか１項に記載の光拡散装飾装置である。
【００２７】
請求項１１に記載の考案によれば、光拡散部材を複数備えることで、光拡散部材間でも光を反射等させて、一層多様な投影を楽しむことができる。また、光拡散部材を複数備えても、特定の光拡散部材に光を照射して、そこでの光の分散を確実に図ることができる。
【００２８】
請求項１２に記載の考案は、前記特定の光拡散部材は、前記複数の光拡散部材の内、大きさが最大の光拡散部材とされるか、中央部に配置された光拡散部材とされることを特徴とする請求項１１に記載の光拡散装飾装置である。
【００２９】
請求項１２に記載の考案によれば、光拡散部材を複数備えても、大きな光拡散部材または中央部の光拡散部材に光を当てて、光の分散を効果的に図ることができる。
【００３０】
請求項１３に記載の考案は、影絵構成部材を備えて構成され、前記影絵構成部材は、前記ＬＥＤライトからの光を照射されることで、図形、模様、文字、記号等の内のいずれか一以上の影を投影面に映し出す部材であることを特徴とする請求項１〜１２のいずれか１項に記載の光拡散装飾装置である。
【００３１】
請求項１３に記載の考案によれば、影絵構成部材に光を当てて、図形、模様、文字、記号等の内のいずれか一以上の影を投影して、影絵のように楽しむことができる。
【００３２】
請求項１４に記載の考案は、前記ＬＥＤライトからの光の照射を、前記光拡散部材にスポットを当てて行うか、前記光拡散部材だけでなく前記影絵構成部材を含む領域にも広げて行うか、を切替可能とされたことを特徴とする請求項１３に記載の光拡散装飾装置である。
【００３３】
請求項１４に記載の考案によれば、光拡散部材にスポットを当てるか、影絵構成部材を含む領域にもスポットを当てるかを、切り替えることができる。光拡散部材にスポットを当てると、光の分散を効率的に図ることができる一方、影絵構成部材を含む領域にも光を当てると、影絵のように楽しむことができる。
【００３４】
さらに、請求項１５に記載の考案は、前記影絵構成部材は、線材を屈曲形成して構成されることを特徴とする請求項１３または請求項１４に記載の光拡散装飾装置である。
【００３５】
請求項１５に記載の考案によれば、影絵構成部材は線材を屈曲形成して構成されるので、簡易な構成で容易に製作することができる。
【考案の効果】
【００３６】
本考案の光拡散装飾装置によれば、手軽に光の投影を楽しむことができる。
【図面の簡単な説明】
【００３７】
【図１】本考案の実施例１の光拡散装飾装置を示す概略斜視図であり、ＬＥＤライトを点灯させた状態を示している。
【図２】図１の光拡散装飾装置の使用状態を示す側面図であり、ＬＥＤライトを点灯させた状態を示している。
【図３】図２の変形例を示す図であり、光拡散部材に上方から光を照射した状態を示している。
【図４】本考案の実施例２の光拡散装飾装置を示す概略斜視図であり、ＬＥＤライトを点灯させた使用状態を示している。
【考案を実施するための形態】
【００３８】
以下、本考案の具体的実施例を図面に基づいて詳細に説明する。
【実施例１】
【００３９】
図１および図２は、本考案の実施例１の光拡散装飾装置１を示す概略図であり、図１は斜視図、図２は側面図であり、それぞれＬＥＤライト４を点灯させた状態を示している。
【００４０】
本実施例の光拡散装飾装置１は、光を分散させる光拡散部材２と、この光拡散部材２を保持する保持部材３と、光拡散部材２に光を照射するＬＥＤライト４とを備える。
【００４１】
光拡散部材２は、光を分散させるのであれば、形状や材質を特に問わない。典型的には、多数の平面を有するように表面がカットされた透明体から構成される。特に、透明度が高く、細かくカットされたものが好適に用いられる。たとえば、クリスタルガラスを用いて、透明な多面体状に形成される。このような光拡散部材２として、サンキャッチャーの飾り玉を用いることができる。
【００４２】
図示例では、光拡散部材２は、略球状の表面に多数の平面が形成された多面体状とされている。光拡散部材２にて、光をプリズムのように透過・屈折等させて分散（拡散）させ、壁などの投影面に多数の虹色等の小さな光を映し出すことができる。なお、保持部材３に光拡散部材２を吊り下げて保持する場合、光拡散部材２には、糸（たとえば透明なテグス）やワイヤ（たとえばナイロンコートワイヤ）などを通すための孔（図示省略）が形成されている。たとえば、光拡散部材２の上部は、略円錐状に僅かに上方へ延出して形成され、その延出部に貫通孔が形成される。そして、その貫通孔に糸などを通して、光拡散部材２を保持することができる。
【００４３】
光拡散部材２の形状は、図示例のように、略球状（略円形）に限らず、たとえば、略矩形、略楕円形、略しずく形（略涙形）、略三角形など、様々な形状とすることができる。いずれの場合も、その表面には、多面体のように、多数の平面が形成されるのがよい。また、光拡散部材２は、透明であれば、無色透明に限らず、有色透明であってもよい。たとえば、赤色、青色、黄色などの他、オーロラ状に色彩の付いた透明体から構成されてもよい。なお、光拡散部材２の大きさは、特に問わないが、本実施例では、直径（球以外の場合は長手寸法）が３０ｍｍ程度のものが好適に使用される。但し、大小様々な形状および大きさの光拡散部材２を、単独でまたは組み合わせて用いることができる。
【００４４】
保持部材３は、光拡散部材２を保持するのであれば、形状や材質を特に問わない。保持部材３により光拡散部材２をどのように保持するのかも特に限定されない。但し、後述するように、光拡散部材２に照射された光を光拡散部材２にて分散させ、壁などの投影面に投影する関係上、通常、光拡散部材２の正面（ＬＥＤライト側）および背面（投影面側）を閉塞することなく保持する必要がある。そこで、典型的には、保持部材３は光拡散部材２を吊り下げて保持する。
【００４５】
本実施例では、保持部材３は、光拡散部材２を吊り下げるスタンド５とされる。図示例の場合、スタンド５は、テーブル等に載置される台座部６と、この台座部６から上方へ延出する支柱部７と、この支柱部７の先端部に設けられる掛け部８とを備える。これら各部６〜８は、図示例では、金属製の線材が屈曲されて形成され、溶接等により一体化される。
【００４６】
より具体的に説明すると、図示例の場合、台座部６は、略円環状に形成されており、その内側を架け渡すように、横架材６ａが設けられている。そして、その横架材６ａの中央部（または横架材６ａを設けずに略円環状の台座部６の外周部）に、支柱部７の下端部が固定される。支柱部７は、細長い線材から形成され、略逆Ｊ字形状（または略逆Ｌ字形状）に屈曲されている。支柱部７は、下端部が台座部６に固定され、台座部６から上方（または斜め上方）へ延出した後、先端部が略円弧状（または略Ｌ字状）に屈曲されている。そして、先端部に、掛け部８が設けられている。掛け部８は、光拡散部材２を吊り下げる部品の上端部を取り付ける部分であり、フック状または環状などに形成されている。
【００４７】
本実施例では、光拡散部材２には透明な糸９の一端部が固定され、その糸９の他端部が回転金具１０を介して、掛け部８に引っ掛けられる。回転金具１０は、第一金具１０ａと第二金具１０ｂとが回転可能に接続されて構成され、上方の第一金具１０ａはフック１０ｃを介してスタンド５の掛け部８に引っ掛けられる。一方、第二金具１０ｂには糸９を介して光拡散部材２が取り付けられる。これにより、光拡散部材２は、スタンド５の掛け部８に糸９を介して吊り下げられることになる。しかも、回転金具１０の箇所で、水平方向に（つまり縦軸まわりに）回転可能に保持される。
【００４８】
スタンド５には、ライト保持部１１が設けられる。本実施例では、光拡散装飾装置１は、ライト保持材１２を備え、このライト保持材１２のライト保持部１１にＬＥＤライト４が設けられる。
【００４９】
ＬＥＤライト４は、光拡散部材２に光を照射する装置であり、ＬＥＤ（Ｌｉｇｈｔ  Ｅｍｉｔｔｉｎｇ  Ｄｉｏｄｅ：発光ダイオード）を光源とする。本実施例では、ＬＥＤライト４は、ＬＥＤフラッシュライト（懐中電灯）から構成される。典型的には、ＬＥＤライト４は、略円柱形状とされ、乾電池を内蔵しており、スイッチ（不図示）のオンオフにより、点灯の有無を切り替えられる。ここでは、白色系ＬＥＤが用いられるが、所望により、赤色系、青色系、緑色系などの有色のＬＥＤを、単独でまたは組み合わせて用いてもよい。
【００５０】
ＬＥＤライト４は、ズーム機能付きのものを用いるのが好ましい。その場合、ズームの有無を切り替えることができる。すなわち、ズームインすると、照角度を狭めて、比較的狭い範囲に光を照射できる一方、ズームアウトすると、照角度を広げて、比較的広い範囲に光を照射することができる。図示例の場合、ＬＥＤライト４には、スライドフォーカス部４ａが設けられており、そのスライドフォーカス部４ａを前後（ＬＥＤライト４の軸方向）に進退させることで、ズームの程度を変更することができる。
【００５１】
本実施例では、前述したとおり、ＬＥＤライト４は、ライト保持材１２を介して、スタンド５に取り付けられる。ライト保持材１２は、スタンド５にＬＥＤライト４を取り付ける部材であり、好ましくは、スタンド５（ひいては光拡散部材２）に対するライト保持部１１（ＬＥＤライト４）の配置を変更可能に設けられる。
【００５２】
ライト保持材１２の構成は、特に問わないが、本実施例では金属製の線材が屈曲形成されて構成される。具体的には、細長い線材は、一端部１２ａがスタンド５の支柱部７の下端部に巻き付けられて保持される一方、そこからスタンド５の台座部６よりも外方へ延出して、他端部１２ｂにコイル状（略円筒状）のライト保持部１１が設けられる。そして、このコイル状のライト保持部１１に、ＬＥＤライト４の基端部がはめ込まれて保持される。言い換えれば、ＬＥＤライト４の基端部に、ライト保持材１２を構成する線材が巻き付けられた形となる。この際、好ましくは、ＬＥＤライト４は、ライト保持部１１に着脱可能に設けられる。また、本実施例では、ライト保持材１２を構成する線材は、スタンド５の支柱部７まわりに水平方向に可動（回転）させることができ、光拡散部材２に対する配置を変更可能とされる。
【００５３】
次に、本実施例の光拡散装飾装置１の使用方法について説明する。
光拡散装飾装置１は典型的には室内で使用される。光拡散装飾装置１を使用するには、ＬＥＤライト４を点灯させ、その光を光拡散部材２に当てればよい。ＬＥＤライト４からの光は、光拡散部材２にて拡散し、その拡散光を室内に投影することができる。光拡散部材２を糸９などでスタンド５に吊り下げて保持する場合、光拡散部材２を多少揺動させることができる。光拡散部材２が動くと、これに合わせて、光拡散部材２からの光も動くので、動きのある投影を楽しむことができる。
【００５４】
図示例では、ＬＥＤライト４は、光拡散部材２に斜め下方から光を照射するが、光拡散部材２への照射方向は適宜に変更可能である。照射方向に合わせて、ライト保持材１２（ライト保持部１１）を構成すればよい。本実施例では、前述したように、スタンド５の支柱部７まわりに水平方向へライト保持材１２を動かすことができるので、光拡散部材２に対し光の照射方向を調整することができる。また、ライト保持材１２が屈曲可能な線材から構成される場合、その形状を変更してもよい。前後左右上下の各位置を調整可能である。それにより、光拡散部材２に対する光の照射角度や、光拡散部材２とＬＥＤライト４との離隔距離を調整することができる。
【００５５】
あるいは、スタンド５に複数のライト保持材１２（ライト保持部１１）を設けておき、そのいずれにＬＥＤライト４を設けて光を照射するかを切り替えてもよい。その他、ライト保持部１１にＬＥＤライト４を着脱可能に設けておけば、ライト保持部１１からＬＥＤライト４を取り外して、ＬＥＤライト４を手に持って、自由な角度から光拡散部材２に光を照射することも可能となる。また、停電などの必要時には、ＬＥＤライト４を懐中電灯として利用することもできる。
【００５６】
ＬＥＤライト４の配置により、たとえば、光拡散部材２に側方または斜め側方から光を照射することができる。つまり、光拡散部材２の側方または斜め側方の離隔位置から光拡散部材２へ光を照射することができる。光拡散部材２に側方または斜め側方から光を照射することで、壁Ｗなどへの投影が容易となる（図２）。
【００５７】
あるいは、光拡散部材２に上方もしくは斜め上方から光を照射することができる。つまり、光拡散部材２の上方もしくは斜め上方の離隔位置から光拡散部材２へ光を照射することができる。光拡散部材２に上方もしくは斜め上方から光を照射することで、床やテーブル面Ｆなどへの投影が容易となる（図３）。
【００５８】
あるいは、光拡散部材２に下方もしくは斜め下方から光を照射することができる。つまり、光拡散部材２の下方もしくは斜め下方の離隔位置から光拡散部材２へ光を照射することができる。光拡散部材２に下方もしくは斜め下方から光を照射することで、天井などへの投影が容易となる。
【００５９】
いずれの場合も、光拡散部材２にスポットを当てて光を照射するのが好ましい。つまり、光拡散部材２の位置で、光拡散部材２の大きさか、それよりも少し小さな（あるいは少し大きな）光とするのがよい。たとえば、ＬＥＤライト４からのビーム光の径は、それが当てられる光拡散部材２の位置において、所定の大きさとされ、この所定の大きさは、光拡散部材２の断面のうち、ＬＥＤライト４から光拡散部材２へのビーム光の進行方向と垂直な断面が最大となる箇所の寸法の５０〜１１０％の大きさとされるのが好ましい。
【００６０】
図２は、光拡散部材２にスポットを当てて光を照射している状態を示している。ここでは、光拡散部材２の断面のうち、ＬＥＤライト４から光拡散部材２への光の進行方向と垂直な断面が最大となる箇所において、その箇所の寸法Ａ程度（たとえば９０〜１１０％）の大きさとされている。なお、ＬＥＤライト４からの光は、光拡散部材２の表面で分散するが、仮にそのまま直進したとした場合において、前記断面が最大となる箇所（長手寸法が最大となる箇所）との関係で、その箇所での光の径として決めるのがよい。
【００６１】
たとえば、光拡散部材２が球状の場合、その中心を目標にＬＥＤライト４から光を照射すると共に、その中心を通る断面（ＬＥＤライト４から光拡散部材２への光の進行方向と直交する断面）において、球の直径の５０〜１１０％程度の光径となるように、光を照射するのがよい。
【００６２】
ＬＥＤライト４からのビーム光の径を、光拡散部材２の位置において所定の大きさとすることで、ＬＥＤライト４からの光の大部分を光拡散部材２で分散させることができる。そのため、ＬＥＤライト４からの光がそのまま壁Ｗなどを大きく照らしてしまったり、壁Ｗなどに光拡散部材２の影が明瞭に生じたりするのを防止することができる。つまり、仮に、図２において、光拡散部材２の箇所において、光拡散部材２よりも十分大きな光となった場合、ＬＥＤライト４からの光は光拡散部材２の周囲において光拡散部材２に遮られることなく、直接に壁Ｗなどを照らしてしまう。その場合、その直接光は、光拡散部材２で拡散することがないので、細かな虹色にならないし、また、投影面には光拡散部材２の影が明瞭に出やすい。また、逆に、光拡散部材２の大きさに対して、ＬＥＤライト４からの光径が小さすぎても、光拡散部材２での拡散が少なくなる。これに対し、ＬＥＤライト４からの光を光拡散部材２に適切な大きさでスポットを当てて照射することで、多くの光を光拡散部材２で分散させて、細かな虹色の光を投影することが可能となる。
【００６３】
ＬＥＤライト４からの光を光拡散部材２のみに当てるように照射するには、光拡散部材２に対するＬＥＤライト４の設置位置を調整したり、ＬＥＤライト４のズーム機能を調整したりすればよい。また、光束が強すぎると、投影面での輝度が高くなり過ぎて、細かな光の粒を鑑賞するには適さなくなる。投影面との距離なども考慮して、適切なＬＥＤライト４が選択される。
【００６４】
本実施例の場合、たとえば、株式会社オーム電機製のズーム機能付き５０ルーメンＬＥＤ懐中電灯「ＬＤＡ−Ｙ１ＷＺ−Ｓ」を用い、直径約３０ｍｍの球状の光拡散部材２に対し、ＬＥＤライト４と光拡散部材２との離隔距離（最短寸法）を約１００ｍｍ程度とし、且つズームイン状態として用いることができる。このＬＥＤライト４の場合、メーカ表示によれば、光束は５０［ｌｍ（ルーメン）］とされ、ズームイン時には先端から約１００ｍｍで約３６８００［ｌｕｘ（ルクス）］とされる。もちろん、その他のＬＥＤライト４を用いることができるし、光拡散部材２との距離やズームの程度などを切り替えて、所望の投影を楽しむことができる。
【００６５】
図３は、ＬＥＤライト４の設置位置を変更した例を示している。言い換えれば、光拡散部材２に対する光の照射方向を変更した例を示している。前述したとおり、ＬＥＤライト４による光の照射方向は適宜変更可能であり、ここでは、光拡散部材２の上方から下方へ光を当てた例を示している。この場合、スタンド５を設置したテーブル面や床面Ｆなどに、分散光を投影して楽しむことができる。なお、これとは、逆に、スタンド５の下方から上方へ光を照射すれば、天井などに分散光を投影することができる。もちろん、前述したとおり、光拡散部材２には、その斜め上方や斜め下方などから光を照射することもできる。
【００６６】
ところで、本実施例では、一つの光拡散部材２を備えた例を説明したが、複数の光拡散部材２を備えてもよい。たとえば、図１において、光拡散部材２は、スタンド５の上端部から糸９で吊り下げられるが、その糸９に（回転金具１０と光拡散部材２との間の糸９の途中に）、その他の光拡散部材２を設けてもよい。また、たとえば、スタンド５に複数の糸や針金などで、複数の光拡散部材２を並列的に設けることもできる。その他、前後左右上下に複数の光拡散部材２を様々に配置してもよい。そして、光拡散部材２を複数設ける場合、その内の特定の光拡散部材２へ向けて、ＬＥＤライト４からの光を照射するのがよい。
【００６７】
前記特定の光拡散部材２は、複数の光拡散部材２の内、大きさが最大の光拡散部材２とされるか、中央部に配置された光拡散部材２とされるのがよい。光拡散部材２を複数備えても、大きな光拡散部材２または中央部の光拡散部材２に光を当てて、光の分散を効果的に図ることができる。
【実施例２】
【００６８】
図４は、本考案の実施例２の光拡散装飾装置１を示す概略斜視図であり、ＬＥＤライト４を点灯させた使用状態を示している。
【００６９】
本実施例２の光拡散装飾装置１も、基本的には前記実施例１と同様である。そこで、以下においては、両者の異なる点を中心に説明し、共通する箇所については説明を省略する。また、前記実施例１と対応する箇所には同一の符号を付して説明する。
【００７０】
本実施例２の光拡散装飾装置１は、影絵構成部材１３を備える。影絵構成部材１３は、保持部材３（またはライト保持材１２）の一部として構成することもできるし、保持部材３とは別に構成することもできる。たとえば、スタンド５に吊り下げられる装飾の一つとして、影絵構成部材１３を設けることができる。
【００７１】
図示例の場合、影絵構成部材１３は、線材を鳥かご状に屈曲形成されて構成され、その鳥かご１３ａがスタンド５の掛け部８に引っ掛けられている。但し、前記実施例１の光拡散部材２と同様に、適宜、糸や回転金具などを介して、スタンド５に保持するようにしてもよい。そして、図示例の場合、鳥かご１３ａの内部に光拡散部材２が糸で吊り下げられている。従って、この例の場合、光拡散部材２は、鳥かご１３ａを介して、スタンド５の掛け部８に吊り下げられることになる。また、鳥かご１３ａに隣接して、小鳥１３ｂも線材により形成されている。小鳥１３ｂ付きの鳥かご１３ａは、金属製線材によりワイヤークラフトのように構成することができる。
【００７２】
影絵構成部材１３を備える場合、図４に示すように、影絵構成部材１３を含む形でＬＥＤライト４からの光を当てると、壁Ｗなどに影絵のように投影することができる。図示例では、小鳥や鳥かごの影を投影面に映し出すことができる。
【００７３】
本実施例の場合、ＬＥＤライト４からの光の照射を、光拡散部材２にスポットを当てて行うか、光拡散部材２だけでなく影絵構成部材１３を含む領域にも広げて行うか、を切替可能とするのがよい。そのために、ズーム機能付きのＬＥＤライト４が好適に用いられる。光拡散部材２のみに光を当てるようにズームインすれば、前記実施例１で述べたのと同様に、光拡散部材２にて光を多様に分散させて、細かな虹色の光を投影して楽しむことができる。一方、光拡散部材２だけでなく影絵構成部材１３を含む領域にも光を当てるようにズームアウトすれば、図４に示すように、影絵のように楽しむことができる。その際も、光拡散部材２に当たった光の一部は、光の粒として投影することができる。その他、影絵構成部材１３でデザイン的な作品とすることで、ＬＥＤライト４を消灯させた不使用時にも、光拡散装飾装置１をインテリアとして楽しむことができる。
【００７４】
ところで、図示例では、影絵構成部材１３により、鳥かご１３ａと小鳥１３ｂとを形成したが、これらは適宜に変更可能なことは言うまでもない。影絵構成部材１３は、ＬＥＤライト４からの光を照射されることで、図形、模様、文字、記号等の内のいずれか一以上の影を投影面に映し出す部材であればよい。たとえば、キャラクター図形と文字などを同時に表示可能としてもよい。また、ここでは、ワイヤークラフトから構成したが、これに代えてまたは加えて、他の部材により影絵構成部材１３を構成してもよい。その際、セロハンなどの色付きの透過素材を用いて、色付きの影絵とすることもできる。また、影絵構成部材１３は、前述した鳥かご１３ａのように三次元的に形成してもよいし、前述した小鳥１３ｂのように二次元的に形成してもよい。
【００７５】
本考案の光拡散装飾装置１は、前記各実施例の構成に限らず適宜変更可能である。特に、光を分散させる光拡散部材２と、この光拡散部材２を保持する保持部材３と、光拡散部材２に光を照射するＬＥＤライト４とを備えるのであれば、その他は適宜に変更可能である。
【００７６】
たとえば、前記各実施例では、スタンド５にライト保持材１２が取り付けられて一体的に取扱可能とされたが、スタンド５とは別体に（つまり分離して）ライト保持材１２を構成してもよい。その場合も、ライト保持材１２は、ライト保持部１１を有しており、そのライト保持部１１にＬＥＤライト４が（好ましくは着脱可能に）設けられる。この場合の構成は、いわば図１や図４において、支柱部７とライト保持部１１との接続部（ライト保持材１２の内のライト保持部１１以外の部分）を省略した構成となる。そして、その代わりに、ライト保持部１１には、脚部が設けられる。その際、ライト保持部１１は、脚部に対し配置を変更可能に設けられてもよい。つまり、ライト保持部１１に保持されるＬＥＤライト４の方向を変更可能に、たとえば、水平方向の回転や垂直方向の傾斜などを変更可能とされてもよい。光拡散部材２の保持部材３がスタンド５以外の場合も同様に、光拡散部材２の保持部材３と、ＬＥＤライト４のライト保持材１２とを別体として構成することができる。
【００７７】
いずれにしても、光拡散部材２を保持する保持部材３（スタンド５）と、ＬＥＤライト４を保持するライト保持材１２とを、別体として構成すれば、設置の自由度や利便性を高めることができる。特に、光拡散部材２に対するＬＥＤライト４の設置位置（ひいては光の当て方）を自在に変更することができる。
【００７８】
また、前記各実施例では、ライト保持材１２は、線材を屈曲して形成されたが、ＬＥＤライト４を保持できるのであれば、その他の構成も採用可能である。ライト保持材１２のライト保持部１１も、ＬＥＤライト４をはめ込む以外に、ＬＥＤライト４を載せ置いたり、クリップで挟んだりする構成とされてもよい。さらに、ライト保持材１２は、保持部材３（スタンド５）に対し、可動できる以外に、両者一体的に固定されていてもよい。
【００７９】
また、前記各実施例では、ＬＥＤライト４が一つの例を示したが、場合により、複数のＬＥＤライト４を備えてもよい。その場合、いずれかのＬＥＤライト４を切り替えて点灯させたり、双方を点灯させたりしてもよい。複数の光拡散部材２を備える場合、複数のＬＥＤライト４を同時に点灯させて、各ＬＥＤライト４からの光を異なる光拡散部材２に照射するようにしてもよい。
【００８０】
さらに、前記各実施例において、人的にあるいはモータなどで、光拡散部材２を多少揺らしたりしてもよい。その他、前記実施例では、屋内での使用について説明したが、場合により、夜間などにおいて、屋外での使用も可能である。
【符号の説明】
【００８１】
１  光拡散装飾装置
２  光拡散部材
３  保持部材
４  ＬＥＤライト（４ａ：スライドフォーカス部）
５  スタンド
６  台座部（６ａ：横架材）
７  支柱部
８  掛け部
９  糸
１０  回転金具（１０ａ：第一金具、１０ｂ：第二金具、１０ｃ：フック）
１１  ライト保持部
１２  ライト保持材（１２ａ：一端部、１２ｂ：他端部）
１３  影絵構成部材（１３ａ：鳥かご、１３ｂ：小鳥）
Ｗ  壁
Ｆ  床やテーブル面
【図１】
0003231785.tif 000003
【図２】
0003231785.tif 000004
【図３】
0003231785.tif 000005
【図４】
0003231785.tif 000006